(57)【要約】【課題】発生した通信が、ユーザが意図している通信であるか、ユーザの意図とは無関係の通信であるのかを識別し、適切な変調方式を選択することができる無線端末、無線端末の送信制御方法、および送信制御プログラムを提供する。【解決手段】視線検出処理部４は、ユーザの視線がディプレイ１０の内部にあるか否かを検出する。送信制御部５は、ユーザの視線がディスプレイ１０内になく、かつデータ送信量が所定値以下のときには、送信信号の変調方式のレベルを第１のレベルから、第１のレベルよりも伝送速度が遅い第２のレベルに下げる。【選択図】図１
2014068125.tif 000002
【特許請求の範囲】
【請求項１】
ディスプレイと、
ユーザの視線がディプレイ内にあるか否かを検出する視線検出部と、
ユーザの視線がディスプレイ内になく、かつデータ送信量が所定値以下のときには、送信信号の変調方式のレベルを第１のレベルから、前記第１のレベルよりも伝送速度が遅い第２のレベルに下げる送信制御部とを備えた無線端末。
【請求項２】
通信品質を計測する状態管理部をさらに備え、
前記状態管理部は、ユーザの視線がディスプレイ内になく、かつデータ送信量が所定値以下のときには、前記計測した通信品質よりも低いレベルの通信品質を無線基地局へレポートし、
前記送信制御部は、前記無線基地局から前記第２のレベルの変調方式に変更するように指示を受けたときには、前記指示された第２のレベルに変調方式を変更する、請求項１記載の無線端末。
【請求項３】
前記状態管理部は、ユーザの視線がディスプレイ内になく、かつデータ送信量が所定値以下のときには、前記計測した通信品質よりも一定値低下したレベルの通信品質を無線基地局へレポートし、
前記送信制御部は、前記無線基地局から前記第２のレベルの変調方式に変更するように指示を受けたときには、前記指示された第２のレベルに変調方式に変更し、
前記状態管理部は、前記無線基地局から変調方式の変更の指示を受けないときには、さらに一定値低下したレベルの通信品質を無線基地局へレポートする、請求項２記載の無線端末。
【請求項４】
前記状態管理部は、前記変調方式のレベルを前記第１のレベルから前記第２のレベルに下げた後、前記視線検出部によって、ユーザの視線がディスプレイ内にあると検出された場合に、前記計測した通信品質を無線基地局へレポートし、
前記送信制御部は、前記無線基地局から前記第１のレベルの変調方式に変更するように指示を受けたときには、前記指示された第１のレベルに変調方式を復元する、請求項３記載の無線端末。
【請求項５】
ユーザからの操作入力を受け付ける操作部をさらに備え、
前記状態管理部は、前記変調方式のレベルを前記第１のレベルから前記第２のレベルに下げた後、前記操作部がユーザの操作入力を受け付けたときには、前記計測した通信品質を無線基地局へレポートし、
前記送信制御部は、前記無線基地局から前記第１のレベルの変調方式に変更するように指示を受けたときには、前記指示された第１のレベルに変調方式を復元する、請求項３記載の無線端末。
【請求項６】
前記通信品質は、搬送波対干渉雑音比である、請求項２に記載の無線端末。
【請求項７】
自端末の送信電力の余力を計算する状態管理部をさらに備え、
前記状態管理部は、ユーザの視線がディスプレイ内になく、かつデータ送信量が所定値以下のときには、前記計算した送信電力の余力よりも低い送信電力の余力を無線基地局へレポートし、
前記送信制御部は、前記無線基地局から前記第２のレベルの変調方式に変更するように指示を受けたときには、前記指示された第２のレベルに変調方式を変更する、請求項１記載の無線端末。
【請求項８】
前記状態管理部は、ユーザの視線がディスプレイ内になく、かつデータ送信量が所定値以下のときには、前記計算した送信電力の余力よりも一定値低い送信電力の余力を無線基地局へレポートし、
前記送信制御部は、前記無線基地局から前記第２のレベルの変調方式に変更するように指示を受けたときには、前記指示された第２のレベルに変調方式を変更し、
前記状態管理部は、前記無線基地局から変調方式の変更の指示を受けないときには、さらに一定値低い送信電力の余力を無線基地局へレポートする、請求項７記載の無線端末。
【請求項９】
前記状態管理部は、前記変調方式のレベルを前記第１のレベルから前記第２のレベルに下げた後、前記視線検出部によって、ユーザの視線がディスプレイ内にあると検出された場合に、前記計算した送信電力の余力、もしくは、通信品質を無線基地局へレポートし、
前記送信制御部は、前記無線基地局から前記第１のレベルの変調方式に変更するように指示を受けたときには、前記指示された第１のレベルに変調方式を復元する、請求項８記載の無線端末。
【請求項１０】
ユーザからの操作入力を受け付ける操作部をさらに備え、
前記状態管理部は、前記変調方式のレベルを前記第１のレベルから前記第２のレベルに下げた後、前記操作部がユーザの操作入力を受け付けたときには、前記計算した送信電力の余力、もしくは、通信品質を無線基地局へレポートし、
前記送信制御部は、前記無線基地局から前記第１のレベルの変調方式に変更するように指示を受けたときには、前記指示された第１のレベルに変調方式を復元する、請求項８記載の無線端末。
【請求項１１】
前記送信電力の余力は、パワーヘッドルームである、請求項７に記載の無線端末。
【請求項１２】
前記送信制御部は、前記送信信号の変調方式のレベルを前記第１のレベルから前記第２のレベルに下げた後、送信信号の送信電力を減少させる、請求項１記載の無線端末。
【請求項１３】
前記送信制御部は、前記変調方式のレベルを前記第１のレベルから前記第２のレベルに下げた後、現在の送信電力を一定値減少させ、その後、ＨＡＲＱの再送回数についての情報を取得し、
前記再送回数が所定値以下の場合には、現在の送信電力を一定値減少させ、前記再送回数が前記所定値を超える場合には、現在の送信電力を一定値増加させる、請求項１２記載の無線端末。
【請求項１４】
前記送信制御部は、前記変調方式が前記第１のレベルに復元した後、送信信号の送信電力を前記変調方式が前記第１のレベルのときの送信電力に復元する、請求項４、５、９または１０記載の無線端末。
【請求項１５】
前記視線検出部は、前記変調方式のレベルを前記第１のレベルから第２のレベルに下げた後、視線検出処理を停止する、請求項１記載の無線端末。
【請求項１６】
前記ディスプレイは、前記変調方式のレベルを前記第１のレベルから第２のレベルに下げた後、バックライトをオフにする、請求項１記載の無線端末。
【請求項１７】
ディスプレイを備えた無線端末の送信制御方法であって、
ユーザの視線がディプレイ内にあるか否かを検出するステップと、
ユーザの視線がディスプレイ内になく、かつデータ送信量が所定値以下のときには、送信信号の変調方式のレベルを第１のレベルから、前記第１のレベルよりも伝送速度が遅い第２のレベルに下げるステップとを備えた送信制御方法。
【請求項１８】
ディスプレイを備えた無線端末としてのコンピュータに、
ユーザの視線がディプレイ内にあるか否かを検出するステップと、
ユーザの視線がディスプレイ内になく、かつデータ送信量が所定値以下のときには、送信信号の変調方式のレベルを第１のレベルから、前記第１のレベルよりも伝送速度が遅い第２のレベルに下げるステップとを実行させるための送信制御プログラム。
【発明の詳細な説明】
【技術分野】
【０００１】
本発明は、無線端末、無線端末の送信制御方法、および送信制御プログラムに関する。
【背景技術】
【０００２】
従来から、下り回線の受信品質に基づいて生成した報告値を、伝搬環境を考慮して補正する技術が知られている。
【０００３】
たとえば特許文献１（特開２００４−１８６９６９号公報）には、通信端末装置が、下り回線のパス数や遅延広がり等を測定し、その伝搬環境下において所定の受信性能を達成可能なように報告値を生成し、基地局装置に報告する。基地局装置は、通信端末装置から報告される報告値に基づいてＭＣＳ選択を行う方法が記載されている。
【０００４】
また、特許文献１には、通信端末装置が、下り回線のパス数や遅延広がりを考慮せず静特性環境下において所定の受信性能を達成可能なように報告値を生成し、基地局装置に報告する。基地局装置は、上り回線のパス数や遅延広がり等を測定し、通信端末装置から報告される報告値を、測定結果に基づいて補正してＭＣＳ選択を行う方法が記載されている。
【先行技術文献】
【特許文献】
【０００５】
【特許文献１】特開２００４−１８６９６９号公報
【発明の概要】
【発明が解決しようとする課題】
【０００６】
ところで、一般に携帯電話のような無線端末では、ユーザが意図した通信が発生する場合と、ユーザの意図とは無関係に通信が発生する場合がある。前者の通信には、ユーザがアプリケーションの画面のボタンを操作することによって発生する通信などがある。後者の通信には、アプリケーション自身が最新バージョンへの更新のためにサーバと通信する場合や、ＩＰ電話に関するアプリケーションが通話の中断の際に通話状態の確認などのために通信する場合などがある。後者の通信は、通信量が少なく、かつ高速性が要求されないため、変調方式のレベルは低くてもよい。
【０００７】
しかしながら、特許文献１では、ユーザが意図している通信か、ユーザの意図とは無関係の通信かを区別することができない。その結果、後者の通信において、前者の通信と同レベルの高いレベルの変調方式を使用し続けるため、無線リソースを無駄に消費したり、無駄に電力を消費するという問題がある。
【０００８】
それゆえに、本発明の目的は、発生した通信が、ユーザが意図している通信であるか、ユーザの意図とは無関係の通信であるのかを識別し、適切な変調方式を選択することができる無線端末、無線端末の送信制御方法、および送信制御プログラムを提供することである。
【課題を解決するための手段】
【０００９】
上記課題を解決するために、本発明の無線端末は、ディスプレイと、ユーザの視線がディプレイ内にあるか否かを検出する視線検出部と、ユーザの視線がディスプレイ内になく、かつデータ送信量が所定値以下のときには、送信信号の変調方式のレベルを第１のレベルから、第１のレベルよりも伝送速度が遅い第２のレベルに下げる送信制御部とを備える。
【００１０】
好ましくは、通信品質を計測する状態管理部をさらに備える。状態管理部は、ユーザの視線がディスプレイ内になく、かつデータ送信量が所定値以下のときには、計測した通信品質よりも低いレベルの通信品質を無線基地局へレポートし、送信制御部は、無線基地局から第２のレベルの変調方式に変更するように指示を受けたときには、指示された第２のレベルに変調方式を変更する。
【００１１】
好ましくは、状態管理部は、ユーザの視線がディスプレイ内になく、かつデータ送信量が所定値以下のときには、計測した通信品質よりも一定値低下したレベルの通信品質を無線基地局へレポートする。送信制御部は、無線基地局から第２のレベルの変調方式に変更するように指示を受けたときには、指示された第２のレベルに変調方式に変更する。状態管理部は、無線基地局から変調方式の変更の指示を受けないときには、さらに一定値低下したレベルの通信品質を無線基地局へレポートする。
【００１２】
好ましくは、状態管理部は、変調方式のレベルを第１のレベルから第２のレベルに下げた後、視線検出部によって、ユーザの視線がディスプレイ内にあると検出された場合に、計測した通信品質を無線基地局へレポートする。送信制御部は、無線基地局から第１のレベルの変調方式に変更するように指示を受けたときには、指示された第１のレベルに変調方式を復元する。
【００１３】
好ましくは、無線端末は、ユーザからの操作入力を受け付ける操作部をさらに備える。状態管理部は、変調方式のレベルを第１のレベルから第２のレベルに下げた後、操作部がユーザの操作入力を受け付けたときには、計測した通信品質を無線基地局へレポートする。送信制御部は、無線基地局から第１のレベルの変調方式に変更するように指示を受けたときには、指示された第１のレベルに変調方式を復元する。
【００１４】
好ましくは、通信品質は、搬送波対干渉雑音比である。
好ましくは、無線端末は、自端末の送信電力の余力を計算する状態管理部をさらに備える。状態管理部は、ユーザの視線がディスプレイ内になく、かつデータ送信量が所定値以下のときには、計算した送信電力の余力よりも低い送信電力の余力を無線基地局へレポートする。送信制御部は、無線基地局から第２のレベルの変調方式に変更するように指示を受けたときには、指示された第２のレベルに変調方式を変更する。
【００１５】
好ましくは、状態管理部は、ユーザの視線がディスプレイ内になく、かつデータ送信量が所定値以下のときには、計算した送信電力の余力よりも一定値低い送信電力の余力を無線基地局へレポートする。送信制御部は、無線基地局から第２のレベルの変調方式に変更するように指示を受けたときには、指示された第２のレベルに変調方式に変更する。状態管理部は、無線基地局から変調方式の変更の指示を受けないときには、さらに一定値低い送信電力の余力を無線基地局へレポートする。
【００１６】
好ましくは、状態管理部は、変調方式のレベルを第１のレベルから第２のレベルに下げた後、視線検出部によって、ユーザの視線がディスプレイ内にあると検出された場合に、計算した送信電力の余力もしくは通信品質を無線基地局へレポートする。送信制御部は、無線基地局から第１のレベルの変調方式に変更するように指示を受けたときには、指示された第１のレベルに変調方式を復元する。
【００１７】
好ましくは、無線端末は、ユーザからの操作入力を受け付ける操作部をさらに備える。状態管理部は、変調方式のレベルを第１のレベルから第２のレベルに下げた後、操作部がユーザの操作入力を受け付けたときには、計算した送信電力の余力もしくは通信品質を無線基地局へレポートする。送信制御部は、無線基地局から第１のレベルの変調方式に変更するように指示を受けたときには、指示された第１のレベルに変調方式を復元する。
【００１８】
好ましくは、送信電力の余力は、パワーヘッドルームである。
好ましくは、送信制御部は、送信信号の変調方式のレベルを第１のレベルから第２のレベルに下げた後、送信信号の送信電力を減少させる。
【００１９】
好ましくは、送信制御部は、変調方式のレベルを第１のレベルから第２のレベルに下げた後、現在の送信電力を一定値減少させ、その後、ＨＡＲＱの再送回数についての情報を取得し、再送回数が所定値以下の場合には、現在の送信電力を一定値減少させ、再送回数が所定値を超える場合には、現在の送信電力を一定値増加させる。
【００２０】
好ましくは、送信制御部は、変調方式が第１のレベルに復元した後、送信信号の送信電力を変調方式が第１のレベルのときの送信電力に復元する。
【００２１】
好ましくは、視線検出処理部は、変調方式のレベルを第１のレベルから第２のレベルに下げた後、視線検出処理を停止する。
【００２２】
好ましくは、ディスプレイは、変調方式のレベルを第１のレベルから第２のレベルに下げた後、バックライトをオフにする。
【００２３】
本発明は、ディスプレイを備えた無線端末の送信制御方法であって、ユーザの視線がディプレイ内にあるか否かを検出するステップと、ユーザの視線がディスプレイ内になく、かつデータ送信量が所定値以下のときには、送信信号の変調方式のレベルを第１のレベルから、第１のレベルよりも伝送速度が遅い第２のレベルに下げるステップとを備える。
【００２４】
本発明の送信制御プログラムは、ディスプレイを備えた無線端末としてのコンピュータに、ユーザの視線がディプレイ内にあるか否かを検出するステップと、ユーザの視線がディスプレイ内になく、かつデータ送信量が所定値以下のときには、送信信号の変調方式のレベルを第１のレベルから、第１のレベルよりも伝送速度が遅い第２のレベルに下げるステップとを実行させる。
【発明の効果】
【００２５】
本発明によれば、発生した通信が、ユーザが意図している通信であるのか、ユーザの意図とは無関係の通信であるのかを識別し、適切な変調方式を選択することができる。
【図面の簡単な説明】
【００２６】
【図１】第１の実施形態の無線端末の構成を表わす図である。
【図２】変調方式のレベルと変調方式の対応を表わす図である。
【図３】第１の実施形態の無線端末による送信制御の手順を表わすフローチャートである。
【図４】図３のステップＳ１０６の低速通信モード移行処理の手順を表わすフローチャートである。
【図５】図４の低速通信モード移行処理に従って、ＣＩＮＲ、変調方式、および送信電力が変化する様子を表わす図である。
【図６】図３のステップＳ１０８の通常モード復帰処理の手順を表わすフローチャートである。
【図７】第２の実施形態の無線端末による送信制御の手順を表わすフローチャートである。
【図８】図３のステップＳ１０６の低速通信モード移行処理の別の手順を表わすフローチャートである。
【図９】図３のステップＳ１０８の通常モード復帰処理の別の手順を表わすフローチャートである。
【発明を実施するための形態】
【００２７】
以下、本発明の実施形態について、図面を用いて説明する。
［第１の実施形態］
（構成）
図１は、第１の実施形態の無線端末の構成を表わす図である。
【００２８】
図１を参照して、この無線端末１は、アンテナ２と、無線通信部３と、視線検出処理部４と、送信制御部５と、送信データ量計測部６と、端末状態管理部７と、ディスプレイ１０と、ユーザ入力部１１とを備える。第１の実施形態では、無線端末１は、ＷｉＭＡＸ（Worldwide Interoperability for Microwave Access）方式で無線基地局と通信する。
【００２９】
無線端末１は、コンピュータで構成され、無線端末１内の視線検出処理部４と、送信制御部５と、送信データ量計測部６と、端末状態管理部７は、コンピュータのＣＰＵがプログラムを実行することによって実現される。当該プログラムは、コンピュータのハードディスク、あるいは外部の記録媒体（ＤＶＤ（Digital Versatile Disc）、ＣＤ−ＲＯＭ（Compact Disc Read Only Memory）など）に記録されており、実行時にコンピュータのメモリにロードされる。
【００３０】
送信制御部５は、無線基地局への送信信号の変調方式の設定処理を行なう変調方式設定部９と、無線基地器局への送信信号の送信電力を制御する送信電力制御部８とを含む。
【００３１】
図２は、本実施の形態で用いる変調方式のレベルと変調方式の対応を表わす図である。
レベルが「１」は、ＱＰＳＫ（quadrature phase shift keying）であり、レベルが「２」は、１６ＱＡＭ（Quadrature Amplitude Modulation）であり、レベルが「３」が６４ＱＡＭである。レベルが高いほど、伝送速度が速くなる。
【００３２】
ユーザ入力部１１は、ユーザからの操作入力を受け付けるもので、たとえばタッチパネルで構成される。
【００３３】
無線通信部３は、アンテナ２を通じて、無線基地局との間でデータの送受信を行なう。
視線検出処理部４は、ユーザの視線がディプレイ内にあるか否かを検出する。視線検出処理部４によって、ユーザが意図している通信が発生しているか否かを識別することができる。
【００３４】
送信データ量計測部６は、無線端末１の送信データ量を計測する。
端末状態管理部７は、通信品質、具体的には搬送波対干渉雑音比(Carrier to Interference and Noise Ratio : CINR)を計測する。端末状態管理部７は、ユーザの視線がディスプレイ１０内になく、かつ送信データ量計測部６で計測されたデータ送信量が所定値以下のときには、計測したＣＩＮＲよりも一定値だけ劣化したレベルのＣＩＮＲを無線基地局へレポートする。
【００３５】
変調方式設定部９は、ユーザの視線がディスプレイ１０内になく、かつデータ送信量が所定値以下のときには、送信信号の変調方式のレベルを第１のレベルから、第１のレベルよりも伝送速度が遅い第２のレベルに下げる。視線がディスプレイ１０内になく、データ送信量が少ないときには、ユーザが無線端末の利用に対して関心が薄れており、ユーザ操作によって即座にに大容量の通信を行なう可能性は低いため、伝送速度を落としてもユーザに支障が生じないからである。上記のように伝送速度を落とすことによって、無線リソースの無駄な消費をなくして、空いた無線リソースを他のユーザ（無線端末）に利用させることができる。一方、視線がディスプレイ１０内にある場合には、データ送信量が少ない場合でも、通話の開始やチャットを再開することが想定されるため、伝送速度は落とさない。
【００３６】
具体的には、変調方式設定部９は、ユーザの視線がディスプレイ１０内になく、かつデータ送信量が所定値以下のときに、端末状態管理部７が計測したＣＩＮＲよりも一定値だけ劣化したＣＩＮＲをレポートしたことによって、無線線基地局から第２のレベルの変調方式に変更するように指示を受けたときには、指示された第２のレベルに変調方式に変更する。端末状態管理部７は、無線基地局から変調方式の変更の指示を受けないときには、さらに一定値だけ低下したレベルの通信品質を無線基地局へレポートする。
【００３７】
変調方式設定部９は、変調方式のレベルを第１のレベルから第２のレベルに下げた後、視線検出処理部４によって、ユーザの視線がディスプレイ１０内にあると検出された場合に、変調方式のレベルを第１のレベルに復元する。
【００３８】
送信電力制御部８は、送信信号の変調方式のレベルを第１のレベルから第２のレベルに下げられた後、送信信号の送信電力を一定値だけ減少させる。これは、変調方式のレベルが低い場合には、送信信号の伝送速度が遅いため、低い電力でも信号を送信することができるからである。
【００３９】
具体的には、送信電力制御部８は、無線通信部３を通じて、ＨＡＲＱ（Hybrid Automatic Repeat ReQuest）の再送回数についての情報を取得する。送信電力制御部８は、ＨＡＲＱの再送回数が所定値以下の場合には、現在の送信電力を一定値だけ減少させ、ＨＡＲＱの再送回数が所定値を超える場合には、現在の送信電力を一定値だけ増加させる。送信電力制御部８は、変調方式のレベルを第１のレベルから第２のレベルに下げた後、視線検出処理部４によって、ユーザの視線がディスプレイ１０内にあると検出された場合に、送信電力を変調方式が第１のレベルのときの送信電力に復元する。  
【００４０】
（送信制御の動作）
図３は、第１の実施形態の無線端末による送信制御の手順を表わすフローチャートである。
【００４１】
図３を参照して、視線検出処理部４（視線検出アプリケーション）が起動する（ステップＳ１０１）。
【００４２】
視線検出処理部４によってユーザの視線が一定時間、無線端末１のディスプレイ１０の画面の外側にあると検出された場合には（ステップＳ１０２でＹＥＳ）、変調方式設定部９は、現在の変調方式を参照する。
【００４３】
現在の変調方式が最も低いレベルであるＱＰＳＫの場合には（ステップＳ１０３でＹＥＳ）、ステップＳ１０２に戻る。
【００４４】
現在の変調方式がＱＰＳＫでない場合には（ステップＳ１０３でＮＯ）、送信データ量計測部６は、無線端末１の一定時間内の送信データ量を計測する（ステップＳ１０４）。
【００４５】
送信データ量が閾値ＴＨ１を超える場合には（ステップＳ１０５でＹＥＳ）、ステップＳ１０２に戻る。
【００４６】
送信データ量が閾値ＴＨ１以下の場合には（ステップＳ１０５でＮＯ）、送信制御部５は、低速通信モード移行処理を実行する（ステップＳ１０６）。
【００４７】
視線検出処理部４によってユーザの視線が無線端末１のディスプレイ１０の画面内にあると検出された場合には（ステップＳ１０７でＹＥＳ）、送信制御部５は、通常モード復帰処理を実行する（ステップＳ１０８）。
（低速通信モード移行処理）
図４は、図３のステップＳ１０６の低速通信モード移行処理の手順を表わすフローチャートである。
【００４８】
図４を参照して、制御変数ｉが「１」に設定される（ステップＳ３０１）。
端末状態管理部７は、ＣＩＮＲを測定し、ＣＩＮＲレポート値として、測定値−ｉ×ΔＣを無線基地局へ報告する（ステップＳ３０２）。
【００４９】
無線基地局から、現在の変調方式よりも低いレベルの変調方式へ変更するように指示されなかったときには（ステップＳ３０３でＮＯ）、制御変数ｉが「１」だけ増加されて（ステップＳ３０４）、ステップＳ３０２に戻る。
【００５０】
無線基地局から、現在の変調方式よりも低いレベルの変調方式へ変更するように指示されたときには（ステップＳ３０３でＹＥＳ）、変調方式設定部９は、現在の変調方式を指示された変調方式へ変更する（ステップＳ３０５）。
【００５１】
さらに、制御変数ｊが「１」に設定される（ステップＳ３０６）。
送信電力制御部８は、送信電力をデフォルト値（変調方式を変更する前の送信電力）からｊ×ΔＰだけ減少させる（ステップＳ３０７）。
【００５２】
無線通信部３によるＨＡＲＱ再送制御による再送回数が閾値ＴＨ２以下のときには（ステップＳ３０８でＮＯ）、制御変数ｊが「１」だけ増加されて（ステップＳ３０９）、ステップＳ３０７に戻る。
【００５３】
無線通信部３によるＨＡＲＱ再送制御による再送回数が閾値ＴＨ２を超えたときには（ステップＳ３０８でＹＥＳ）、送信電力制御部８は、現在の送信電力をΔＰだけ増加させる（ステップＳ３１０）。
【００５４】
図５は、図４の低速通信モード移行処理に従って、ＣＩＮＲ、変調方式、および送信電力が変化する様子を表わす図である。
【００５５】
図５に示すように、変調方式の初期のレベルは、６４ＱＡＭである。ＣＩＮＲレポート値は、まず測定値からΔＣだけ低い値に設定される。このときには、無線基地局から変調方式の変更指示が届かないので、変調方式は、６４ＱＡＭを維持する。
【００５６】
その後、ＣＩＮＲレポート値は、測定値から２ΔＣだけ低い値に設定される。このときにも、無線基地局から変調方式の変更指示が届かないので、変調方式は、６４ＱＡＭを維持する。
【００５７】
その後、ＣＩＮＲレポート値は、測定値から３ΔＣだけ低い値に設定される。このときにも、無線基地局から変調方式を１６ＱＡＭに変更する旨の変更指示が届き、変調方式は、１６ＱＡＭに下げられる。
【００５８】
さらに、送信電力がデフォルト値からΔＰだけ低く設定される。その後、送信電力をΔＰだけ低く設定したときの無線通信部３によるＨＡＲＱ再送制御による再送回数が測定される。測定した再送回数が閾値ＴＨ２以下を維持するため、送信電力がさらに低い値であるデフォルト値から２ΔＰに下げられる。
【００５９】
その後、送信電力を２ΔＰだけ低く設定したときの無線通信部３によるＨＡＲＱ再送制御による再送回数が測定される。測定した再送回数が閾値ＴＨ２以下を維持するため、送信電力がさらに低い値であるデフォルト値から３ΔＰに下げられる。
【００６０】
その後、送信電力を３ΔＰだけ低く設定したときの無線通信部３によるＨＡＲＱ再送制御による再送回数が測定される。測定した再送回数が閾値ＴＨ２を超えるため、送信電力が現在の値からΔＰだけ高い値であるデフォルト値から２ΔＰだけ低い値に設定される。
【００６１】
（通常モード復帰処理）
図６は、図３のステップＳ１０８の通常モード復帰処理の手順を表わすフローチャートである。
【００６２】
端末状態管理部７は、ＣＩＮＲを測定し、ＣＩＮＲレポート値として、測定値そのものを無線基地局へ報告する（ステップＳ５０１）。
【００６３】
無線基地局から、現在の変調方式と異なる変調方式（つまり、変更前の変調方式）へ変更するように指示されたときには（ステップＳ５０２でＹＥＳ）、変調方式設定部９は、現在の変調方式を指示された変調方式へ変更する（ステップＳ５０３）。
【００６４】
次に、送信電力制御部８は、送信電力を変更前の変調方式のときの送信電力に復元する（ステップＳ５０４）。
【００６５】
以上のように、本実施の形態によれば、ユーザの視線およびデータ送信量に基づいて、発生した通信が、ユーザが意図している通信であるのか、ユーザの意図とは無関係の通信であるのかを識別し、適切な変調方式および送信電力を設定することができる。本実施の形態は、特に、通信方式がＷｉＭＡＸの場合において効果がある。
【００６６】
［第２の実施形態］
第２の実施形態の無線端末が、第１の実施形態の無線端末と相違する点は、以下である。
【００６７】
視線検出処理部４は、変調方式のレベルを第１のレベルから第２のレベルに下げた後、視線検出処理を停止する。
【００６８】
ディスプレイ１０は、変調方式のレベルを第１のレベルから第２のレベルに下げた後、バックライトをオフにする。
【００６９】
変調方式設定部９は、変調方式のレベルを第１のレベルから第２のレベルに下げた後、ユーザ入力部１１がユーザの操作入力を受け付けたときには、変調方式のレベルを第１のレベルに復元する。
【００７０】
図７は、第２の実施形態の無線端末による送信制御の手順を表わすフローチャートである。
【００７１】
図７を参照して、視線検出処理部４（視線検出アプリケーション）が起動する（ステップＳ２０１）。
【００７２】
視線検出処理部４によってユーザの視線が一定時間、無線端末１のディスプレイ１０画面の外側にあると検出された場合には（ステップＳ２０２でＹＥＳ）、変調方式設定部９は、現在の変調方式を参照する。
【００７３】
現在の変調方式がＱＰＳＫの場合には（ステップＳ２０３でＹＥＳ）、ステップＳ２０２に戻る。
【００７４】
現在の変調方式がＱＰＳＫでない場合には（ステップＳ２０３でＮＯ）、送信データ量計測部６は、無線端末１の送信データ量を計測する（ステップＳ２０４）。
【００７５】
送信データ量が閾値ＴＨ１を超える場合には（ステップＳ２０５でＹＥＳ）、ステップＳ２０２に戻る。
【００７６】
送信データ量が閾値ＴＨ１以下の場合には（ステップＳ２０５でＮＯ）、送信制御部５は、低速通信モード移行処理を実行する（ステップＳ２０６）。
【００７７】
さらに、ディスプレイ１０は、バックライトをオフにする（ステップＳ２０７）。
また、視線検出処理部４（視線検出アプリケーション）は、処理を終了する（ステップＳ２０８）。
【００７８】
ユーザ入力部１１からユーザの操作入力があった場合には（ステップＳ２０９でＹＥＳ）、送信制御部５は、通常モード復帰処理を実行する（ステップＳ２１０）。
【００７９】
以上のように、本実施の形態によれば、低速通信モードに移行したときには、変調方式のレベルおよび送信電力を下げるだけでなく、視線検出処理を停止し、ディスプレイのバックライトをオフするので、第１の実施形態よりもさらに無駄な電力消費を削減することができる。
【００８０】
［第３の実施形態］
第３の実施形態では、無線端末１は、ＬＴＥ（Long Term Evolution）方式で無線基地局と通信する。第３の実施形態の無線端末が、第１の実施形態の無線端末と相違する点は以下である。
【００８１】
端末状態管理部７は、自端末の送信電力の余力、たとえばパワーヘッドルーム（Power Head Room :ＰＨＲ）を計算する。端末状態管理部７は、ユーザの視線がディスプレイ１０内になく、かつデータ送信量が所定値以下のときには、計算したＰＨＲよりも一定値だけ減少したＰＨＲを無線基地局へレポートする。パワーヘッドルームは、仕様書（３ＧＰＰ  ＴＳ  ３６．３１、３６．２１３、３６．１３３）によれば、無線端末の最大送信電力とアップリンク共有チャネル送信に用いる予想送信電力との差を表わす値である。
【００８２】
具体的には、変調方式設定部９は、ユーザの視線がディスプレイ１０内になく、かつデータ送信量が所定値以下のときには、送信信号の変調方式のレベルを第１のレベルから、第１のレベルよりも伝送速度が遅い第２のレベルに下げる。具体的には、変調方式設定部９は、ユーザの視線がディスプレイ１０内になく、かつデータ送信量が所定値以下のときに、端末状態管理部７が計算したＰＨＲよりも一定値だけ減少したＰＨＲをレポートしたことによって、無線線基地局から第２のレベルの変調方式に変更するように指示を受けたときには、指示された第２のレベルに変調方式に変更する。端末状態管理部７は、無線基地局から変調方式の変更の指示を受けないときには、さらに一定値だけ減少したＰＨＲを無線基地局へレポートする。
【００８３】
変調方式設定部９は、変調方式のレベルを第１のレベルから第２のレベルに下げた後、視線検出処理部４によって、ユーザの視線がディスプレイ１０内にあると検出された場合に、変調方式のレベルを第１のレベルに復元する。
【００８４】
（低速通信モード移行処理）
図８は、図３のステップＳ１０６の低速通信モード移行処理の別の手順を表わすフローチャートである。
【００８５】
図８を参照して、制御変数ｉが「１」に設定される（ステップＳ４０１）。
端末状態管理部７は、ＰＨＲを計算し、ＰＨＲレポート値として、計算値−ｉ×Δｄを無線基地局へ報告する（ステップＳ４０２）。
【００８６】
無線基地局から、現在の変調方式よりも低いレベルの変調方式へ変更するように指示されなかったときには（ステップＳ４０３でＮＯ）、制御変数ｉが「１」だけ増加されて（ステップＳ４０４）、ステップＳ４０２に戻る。
【００８７】
無線基地局から、現在の変調方式よりも低いレベルの変調方式へ変更するように指示されたときには（ステップＳ４０３でＹＥＳ）、変調方式設定部９は、現在の変調方式を指示された変調方式へ変更する（ステップＳ４０５）。
【００８８】
さらに、制御変数ｊが「１」に設定される（ステップＳ４０６）。
送信電力制御部８は、送信電力をデフォルト値（変調方式を変更する前の送信電力）からｊ×ΔＰだけ減少させる（ステップＳ４０７）。
【００８９】
無線通信部３によるＨＡＲＱ再送制御による再送回数が閾値ＴＨ２以下のときには（ステップＳ４０８でＮＯ）、制御変数ｊが「１」だけ増加されて（ステップＳ４０９）、ステップＳ４０７に戻る。
【００９０】
無線通信部３によるＨＡＲＱ再送制御による再送回数が閾値ＴＨ２を超えたときには（ステップＳ４０８でＹＥＳ）、送信電力制御部８は、現在の送信電力をΔＰだけ増加させる（ステップＳ４１０）。
【００９１】
（通常モード復帰処理）
図９は、図３のステップＳ１０８の通常モード復帰処理の別の手順を表わすフローチャートである。
【００９２】
端末状態管理部７は、ＰＨＲを計算し、ＰＨＲレポート値として、計算値そのものを無線基地局へ報告する（ステップＳ６０１）。
【００９３】
無線基地局から、現在の変調方式と異なる変調方式（つまり、変更前の変調方式）へ変更するように指示されたときには（ステップＳ６０２でＹＥＳ）、変調方式設定部９は、現在の変調方式を指示された変調方式へ変更する（ステップＳ６０３）。
【００９４】
次に、送信電力制御部８は、送信電力を変更前の変調方式のときの送信電力に復元する（ステップＳ６０４）。
【００９５】
以上のように、本実施の形態によれば、通信方式がＬＴＥであっても、第１の実施形態と同様に、ユーザの視線およびデータ送信量に基づいて、発生した通信が、ユーザが意図している通信であるのか、ユーザの意図とは無関係の通信であるのかを識別し、適切な変調方式および送信電力を設定することができる。
【００９６】
（変形例）
本発明は、上記の実施形態に限定されるものではなく、以下のような変形例も含まれる。
【００９７】
たとえば、変調方式を復元する際に、変調方式を復元するとともに、ディスプレイのバックライトをオンにすることとしてもよい。
【００９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９９】
１  無線端末、２  アンテナ、３  無線通信部、４  視線検出処理部、５  送信制御部、６  送信データ量計測部、７  端末状態管理部、８  送信電力制御部、９  変調方式設定部、１０  ディスプレイ、１１  ユーザ入力部。
【図１】
2014068125.tif 000003
【図２】
2014068125.tif 000004
【図３】
2014068125.tif 000005
【図４】
2014068125.tif 000006
【図５】
2014068125.tif 000007
【図６】
2014068125.tif 000008
【図７】
2014068125.tif 000009
【図８】
2014068125.tif 000010
【図９】
2014068125.tif 000011